【手続補正書】
【提出日】平成17年8月8日(2005.8.8)
【手続補正１】
【補正対象書類名】特許請求の範囲
【補正対象項目名】全文
【補正方法】変更
【補正の内容】
【特許請求の範囲】
【請求項１】
ワイアレスモービルユニット中のブルートゥースモジュールに対する目覚ましスケジュール及びＣＤＭＡモジュールに対する目覚ましスケジュールを同期させる方法であって、前記方法は、以下を具備する：
次のＣＤＭＡ目覚まし時間を決定する；及び
前記次のＣＤＭＡ目覚まし時間が次のブルートゥース目覚まし時間より早い場合に、新しいブルートゥース目覚まし時間を前記次のＣＤＭＡ目覚まし時間に実質的に同期させる。
【請求項２】
請求項１の方法であって、以下をさらに具備する：
前記決定するステップの後で前記同期させるステップの前に、前記次のブルートゥース目覚まし時間を設定する。
【請求項３】
請求項１の方法であって、以下をさらに具備する：
現在のＣＤＭＡ時間を決定する；及び
現在のブルートゥース時間を決定する。
【請求項４】
請求項３の方法であって、以下をさらに具備する：
ＣＤＭＡインターバルを決定する、前記ＣＤＭＡインターバルを前記現在のＣＤＭＡ目覚まし時間マイナス前記次のＣＤＭＡ時間に等しくする。
【請求項５】
ワイアレスモービルユニット中のブルートゥースモジュールに対する目覚ましスケジュール及びＣＤＭＡモジュールに対する目覚ましスケジュールを同期させる方法であって、前記方法は、以下を具備する：
現在のＣＤＭＡ時間を決定する；及び
現在のブルートゥース時間を決定する；
次のＣＤＭＡ目覚まし時間を決定する；
ＣＤＭＡインターバルを決定する、前記ＣＤＭＡインターバルは前記次のＣＤＭＡ目覚まし時間マイナス現在のＣＤＭＡ時間に等しくされる；
前記現在のブルートゥース時間プラス前記ＣＤＭＡインターバルが前記次のブルートゥース時間より少ない場合に、前記次のＣＤＭＡ目覚まし時間に新しいブルートゥース目覚まし時間を同期させる。
【請求項６】
請求項１の方法であって、以下をさらに具備する：
実質的に前記新しいブルートゥース目覚まし時間においてブルートゥース目覚ましプロセス及びＣＤＭＡ目覚ましプロセスを実施する。
【請求項７】
請求項６の方法、ここで、前記実施するステップは、前記ワイアレスモービルユニットの電力消費を削減するように、実質的に同時に前記ブルートゥースモジュール及び前記ＣＤＭＡモジュールの電源を投入するステップを具備する。
【請求項８】
ワイアレスモービルユニット中のブルートゥースモジュールに対する目覚ましスケジュール及びＣＤＭＡモジュールに対する目覚ましスケジュールを同期させる方法であって、前記方法は、以下を具備する：
現在のＣＤＭＡ時間及び現在のブルートゥース時間を決定する；
ＣＤＭＡインターバルを計算する、前記ＣＤＭＡインターバルを前記次のＣＤＭＡ時間マイナス前記現在のＣＤＭＡ目覚まし時間に等しくする；及び
前記現在のブルートゥース時間プラス前記ＣＤＭＡインターバルが次のブルートゥース時間より少ない場合に、新しいブルートゥース目覚まし時間を前記次のＣＤＭＡ目覚まし時間に実質的に同期させる。
【請求項９】
請求項８の方法であって、以下をさらに具備する：
前記ＣＤＭＡ時間インターバルを計算する前記ステップに先立って、前記次のＣＤＭＡ目覚まし時間を設定する；及び
前記新しいブルートゥース時間を同期させる前記ステップに先立って、前記次のブルートゥース目覚まし時間を設定する。
【請求項１０】
請求項８の方法であって、以下をさらに具備する：
実質的に前記新しいブルートゥース目覚まし時間においてブルートゥース目覚ましプロセス及びＣＤＭＡ目覚ましプロセスを実施する。
【請求項１１】
請求項１０の方法、ここで、前記実施することは、前記ワイアレスモービルユニットの電力消費を削減するように、実質的に同時に前記ブルートゥースモジュール及び前記ＣＤＭＡモジュールの電源を投入する、を具備する。
【請求項１２】
請求項８の方法、ここで、前記ワイアレスモービルユニットは、ブルートゥース可能なＣＤＭＡセル電話を具備する。
【請求項１３】
ワイアレスモービルユニットであって、以下を具備する：
次のＣＤＭＡ目覚まし時間においてＣＤＭＡ目覚ましプロセスを実施するために構成されたＣＤＭＡモジュール；及び
前記次のＣＤＭＡ目覚まし時間が次のブルートゥース目覚まし時間より早い場合に、新しいブルートゥース目覚まし時間を前記次のＣＤＭＡ目覚まし時間に実質的に同期させるために構成されたプロセッサ。
【請求項１４】
請求項１３のワイアレスモービルユニットであって、ブルートゥース目覚ましプロセスを実施するために構成されたブルートゥースモジュールをさらに具備する。
【請求項１５】
請求項１４のワイアレスモービルユニット、ここで、前記次のＣＤＭＡ目覚まし時間が前記次のブルートゥース目覚まし時間より早い場合に、前記ブルートゥースモジュールは、前記新しいブルートゥース目覚まし時間において前記ブルートゥース目覚ましプロセスを実施するために構成される。
【請求項１６】
請求項１３のワイアレスモービルユニット、ここで、前記ＣＤＭＡモジュールは、ＣＤＭＡ送信機/受信機及びＣＤＭＡアンテナを具備する、前記ＣＤＭＡ送信機/受信機及び前記ＣＤＭＡアンテナは、前記ＣＤＭＡモジュールを基地局と同期させるように前記基地局からのパイロット信号を受信するために構成される。
【請求項１７】
請求項１６のワイアレスモービルユニット、ここで、前記ＣＤＭＡモジュールは、前記パイロット信号から現在のＣＤＭＡ時間を導出するためにさらに構成される。
【請求項１８】
請求項１７のワイアレスモービルユニット、ここで、前記ブルートゥースモジュールは、クロックを具備する、前記クロックは、現在のブルートゥース時間をトラックするために構成される。
【請求項１９】
請求項１８のワイアレスモービルユニット、ここで、前記プロセッサは、ＣＤＭＡインターバルを計算するためにさらに構成される、前記ＣＤＭＡインターバルを前記次のＣＤＭＡ目覚まし時間マイナス現在のＣＤＭＡ時間に等しくする。
【請求項２０】
ワイアレスモービルユニットであって、以下を具備する：
ＣＤＭＡ送信機/受信機及びＣＤＭＡアンテナを具備するＣＤＭＡモジュール、前記ＣＤＭＡ送信機/受信機及び前記ＣＤＭＡアンテナは、パイロット信号を受信するために構成され、前記ＣＤＭＡモジュールは、以下のために構成される：
次のＣＤＭＡ目覚まし時間においてＣＤＭＡ目覚ましプロセスを実行する、
前記パイロット信号から現在のＣＤＭＡ時間を導出する；
現在のブルートゥース時間をトラックするために構成されたクロックを具備するブルートゥースモジュール；及び
以下のために構成されたプロセッサ：
前記次のＣＤＭＡ目覚まし時間マイナス前記現在のＣＤＭＡ時間に等しくなるようにＣＤＭＡインターバルを計算する、
前記現在のブルートゥース時間プラス前記ＣＤＭＡインターバルが次のブルートゥース時間より少ない場合に、新しいブルートゥース目覚まし時間を次のＣＤＭＡ目覚まし時間に実質的に同期させる。
【請求項２１】
請求項１４のワイアレスモービルユニット、ここで、前記ＣＤＭＡモジュールは、前記ＣＤＭＡ目覚ましプロセスを実施する、及び前記ブルートゥースモジュールは、実質的に前記新しいブルートゥース目覚まし時間において前記ブルートゥース目覚ましプロセスを実施する。
【請求項２２】
請求項２１のワイアレスモービルユニット、ここで、前記ＣＤＭＡモジュール及びブルートゥースモジュールは、ワイアレスモービルユニットの電力消費を削減するように、実質的に同時に電源を投入するために構成される。
【請求項２３】
請求項１３のワイアレスモービルユニット、ここで、ワイアレスモービルユニットは、ブルートゥース可能なＣＤＭＡセル電話である。
【請求項２４】
ワイアレスユニットであって、以下を具備する：
次のＣＤＭＡ目覚まし時間においてＣＤＭＡ目覚ましプロセスを実施するための手段；及び
前記次のＣＤＭＡ目覚まし時間が次のブルートゥース目覚まし時間より早い場合に、新しいブルートゥース目覚まし時間を前記次のＣＤＭＡ目覚まし時間に実質的に同期させるための手段。
【請求項２５】
ワイアレスモービルユニットであって、以下を具備する：
メモリ手段；及び
次のＣＤＭＡ目覚まし時間においてＣＤＭＡ目覚ましプロセスを実施するため、及び前記次のＣＤＭＡ目覚まし時間が次のブルートゥース目覚まし時間より早い場合に、新しいブルートゥース目覚まし時間を前記次のＣＤＭＡ目覚まし時間に実質的に同期させるための手段。
【請求項２６】
ディジタルシグナルプロセシング装置であって、以下を具備する：
ディジタルデータを記憶するためのメモリ手段；及び
以下をすることによってワイアレスモービルユニット中のブルートゥースモジュールに対する目覚ましスケジュール及びＣＤＭＡモジュールに対する目覚ましスケジュールを同期させるためにディジタル信号をインタープレッティングするためのディジタルシグナルプロセシング手段：
次のＣＤＭＡ目覚まし時間を決定する；及び
前記次のＣＤＭＡ目覚まし時間が次のブルートゥース目覚まし時間より早い場合に、新しいブルートゥース目覚まし時間を前記次のＣＤＭＡ目覚まし時間に実質的に同期させる。
【請求項２７】
請求項２６の装置、ここで、前記ディジタルシグナルプロセシング手段は、前記次のＣＤＭＡ目覚まし時間を決定する後で前記新しいブルートゥース目覚まし時間を同期する前に、前記次のブルートゥース目覚まし時間を設定するためにディジタル信号をインタープレットする。